(57)【特許請求の範囲】
【請求項１】
ラベルシートの表面に、貼付票，管理票，受領票等の伝票用紙が設けられ、これらのうち貼付票以外の伝票用紙が剥離可能に貼付されるとともに、ラベルシートの裏面に配送品に貼り合わされるために粘着剤が塗布され、粘着剤面に剥離紙が貼付された配送伝票において、
前記配送伝票を配送品に貼り付けた後、ラベルシートから剥離操作した受領票を差込み収納できる収納部が設置され、
前記受領票の収納部は、ラベルシート裏面の剥離紙の一部を残して配送品に貼り付け、剥離紙片と配送品との間に設置されるとともに、収納部の開口として、ラベルシート又はラベルシート及び剥離紙にスリット，穴等を開設したことを特徴とする配送伝票。
【請求項２】
ラベルシートの表面に、貼付票，管理票，受領票等の伝票用紙が設けられ、これらのうち貼付票以外の伝票用紙が剥離可能に貼付されるとともに、ラベルシートの裏面に配送品に貼り合わされるために粘着剤が塗布され、粘着剤面に剥離紙が貼付された配送伝票において、
前記配送伝票を配送品に貼り付けた後、ラベルシートから剥離操作した受領票を差込み収納できる収納部が設置され、
前記受領票の収納部は、方形状の貼付票をラベルシートに対してその３辺に沿って糊付けを行ない、残る１辺を開口として、封筒状に貼り付けることにより、貼付票内に設定されていることを特徴とする配送伝票。
【請求項３】
ラベルシートの表面に、貼付票，管理票，受領票等の伝票用紙が設けられ、これらのうち貼付票以外の伝票用紙が剥離可能に貼付されるとともに、ラベルシートの裏面に配送品に貼り合わされるために粘着剤が塗布され、粘着剤面に剥離紙が貼付された配送伝票において、
前記配送伝票を配送品に貼り付けた後、ラベルシートから剥離操作した受領票を差込み収納できる収納部が設置され、
前記配送伝票は、ラベルシート表面全面に圧着用紙を貼り合わせるとともに、各伝票用紙以外の余白スペースは完全接着されるとともに、受領票，管理票は、ラベルシートに対して疑似接着状態を維持し、外周にカット処理がなされ、貼付票はわずかな疑似接着状態、あるいは非接着状態であり、貼付票の１辺にスリット加工，穴加工等が施されていることを特徴とする配送伝票。
【発明の詳細な説明】
【０００１】
【発明の属する技術分野】
この発明は、百貨店や運送会社等が配送業務に使用する配送伝票に係り、特に、受領票の紛失を確実に防止することができ、帳票類の円滑な管理が行なえる配送伝票に関する。
【０００２】
【従来の技術】
例えば、百貨店や運送会社等が配送品を発送する場合には、配送品に配送伝票を貼付して配送品の流れを管理しており、従来から複数枚綴りの配送伝票は公知であるが、最近ではラベルシートに剥離片となる複数の伝票用紙が剥離可能に貼付された管理が容易でかつ、各種情報の確認が一目でできる１頁仕様の配送伝票が多様される傾向にある。
【０００３】
この１頁仕様の配送伝票としては、図２３，図２４に示すように、配送伝票１は、ラベルシート２の表面側に受領票３ａ，貼付票３ｂ，管理票３ｃが設置されており、この各票３ａ〜３ｃのうち、両側の受領票３ａと管理票３ｃは剥離可能にラベルシート２の表面に貼付されており、中央の貼付票３ｂは剥離不能にラベルシート２の表面に完全接着されている。また、ラベルシート２の裏面側には配送品に貼り合わせるために粘着剤４が塗布され、粘着剤４面には剥離紙５が貼付されている。
【０００４】
そして、この配送伝票１の使用形態について説明すると、受領票３ａ，貼付票３ｂ，管理票３ｃに所定情報を印字した後、剥離紙５を剥がして、粘着剤４により配送品（図示せず）に配送伝票１を貼り付け、受領票３ａ並びに管理票３ｃを剥離して運用している。尚、配送品を配送先のユーザーに手渡した際、この受領票３ａに捺印してもらい、捺印済みの受領票３ａを持ち帰り管理している。
【０００５】
【発明が解決しようとする課題】
このように、従来の１頁仕様の配送伝票１においては、配送品に配送伝票１を貼付した後、受領票３ａと管理票３ｃとを剥がして、管理伝票として使用し、配送先のユーザーに配送品を届け、受領票３ａに捺印してもらうが、受取人不在の場合には、受領票３ａと配送品を再度持ち帰ることになり、受領票３ａが疑似接着してあった箇所は再貼付できないため、配送品と受領票３ａとを別個に所持する関係で受領票３ａの紛失が発生し易く、伝票類の円滑な管理が困難であるという欠点が指摘されている。
【０００６】
この発明は、このような事情に鑑みてなされたもので、１頁仕様の配送伝票において、配送品の受取人が不在の場合、配送品と受領票を再度持ち帰る場合においても、受領票の紛失を確実に防止でき、円滑な伝票管理が行なえる配送伝票を提供することを目的としている。
【０００７】
【課題を解決するための手段】
上記目的を達成するために、請求項１記載の発明は、ラベルシートの表面に、貼付票，管理票，受領票等の伝票用紙が設けられ、これらのうち貼付票以外の伝票用紙が剥離可能に貼付されるとともに、ラベルシートの裏面に配送品に貼り合わされるために粘着剤が塗布され、粘着剤面に剥離紙が貼付された配送伝票において、前記配送伝票を配送品に貼り付けた後、ラベルシートから剥離操作した受領票を差込み収納できる収納部が設置され、前記受領票の収納部は、ラベルシート裏面の剥離紙の一部を残して配送品に貼り付け、剥離紙片と配送品との間に設置されるとともに、収納部の開口として、ラベルシート又はラベルシート及び剥離紙にスリット，穴等を開設したことを特徴とする。
【０００８】
このように、本発明の特徴は、配送伝票に封筒機能を付与し、受領票等の伝票用紙を差込み収納できる収納部を設置したことにある。
【００１０】
ここで、ラベルシートは、連続用紙形式のものが使用され、このラベルシートの表面側には、受領票，管理票等の伝票用紙が剥離可能に貼付されており、また、貼付票としては剥離不能に接着されるか、あるいはラベルシート表面に印刷されても良い。また、ラベルシート裏面には、粘着剤が塗布され、この粘着剤面に剥離紙が貼付されているが、剥離紙にカット処理を施し、剥離紙の一部を残したままで配送品に貼り付けることにより、配送伝票と配送品との間に剥離紙を介した非接着部分を設け、この非接着部分を受領票の収納部とするために、ラベルシート及び剥離紙にスリット加工を施すか、ラベルシートのスリット加工と、剥離紙の紙端を一致させるか、あるいは剥離紙の紙端を配送伝票の紙端と一致させることにより、封筒用の開口とする。
【００１１】
次に、請求項２記載の発明は、ラベルシートの表面に、貼付票，管理票，受領票等の伝票用紙が設けられ、これらのうち貼付票以外の伝票用紙が剥離可能に貼付されるとともに、ラベルシートの裏面に配送品に貼り合わされるために粘着剤が塗布され、粘着剤面に剥離紙が貼付された配送伝票において、前記配送伝票を配送品に貼り付けた後、ラベルシートから剥離操作した受領票を差込み収納できる収納部が設置され、前記受領票の収納部は、方形状の貼付票をラベルシートに対してその３辺に沿って糊付けを行ない、残る１辺を開口として、封筒状に貼り付けることにより、貼付票内に設定されていることを特徴とする。
【００１２】
ここでもラベルシート及び剥離紙は連続用紙形式のものが使用され、ラベルシートの表面には、受領票，管理票が剥離可能に貼付され、貼付票が剥離不能に貼付されるが、その際、貼付票に封筒機能を付与するために、貼付票の３辺に沿って接着糊により完全接着し、残る１辺を非接着状態にして封筒の開口とすれば良い。
【００１３】
また、請求項３記載の発明は、ラベルシートの表面に、貼付票，管理票，受領票等の伝票用紙が設けられ、これらのうち貼付票以外の伝票用紙が剥離可能に貼付されるとともに、ラベルシートの裏面に配送品に貼り合わされるために粘着剤が塗布され、粘着剤面に剥離紙が貼付された配送伝票において、前記配送伝票を配送品に貼り付けた後、ラベルシートから剥離操作した受領票を差込み収納できる収納部が設置され、前記配送伝票は、ラベルシート表面全面に圧着用紙を貼り合わせるとともに、各伝票用紙以外の余白スペースは完全接着されるとともに、受領票，管理票は、ラベルシートに対して疑似接着状態を維持し、外周にカット処理がなされ、貼付票はわずかな疑似接着状態、あるいは非接着状態であり、貼付票の１辺にスリット加工，穴加工等が施されていることを特徴とする。
【００１４】
ここで、ラベルシートと同様にその表面側に圧着される圧着用紙も連続用紙形式のものを使用し、ラベルシートと圧着用紙との貼合せ構造に工夫を加えている。すなわち、剥離可能な受領票及び管理票は、疑似接着状態で、かつその周辺にカット処理を施し、封筒部となる貼付票は、それよりも接着力の弱い構造とする。また、この貼付票部分の１辺に封筒の開口となるスリット加工，穴加工等を施す。
【００１５】
以上の構成から明らかなように、ラベルシート裏面の剥離紙片と配送品との間の非接着部分及びラベルシート表面と伝票用紙、あるいは圧着用紙間の非接着部分にそれぞれ受領票を差込み収納できる収納部を設定したため、受取人が不在の場合でも配送伝票に受領票を差し込んで持ち帰れば、受領票の紛失を有効に防止できる。
【００１６】
【発明の実施の形態】
以下、本発明に係る配送伝票の実施形態について、添付図面を参照しながら詳細に説明する。
【００１７】
図１乃至図１６は本発明に係る配送伝票の第１実施形態を示すもので、図１は配送伝票の表面側から見た平面図、図２は同配送伝票を裏面側から見た平面図、図３は同配送伝票の構成を示す断面図、図４乃至図６は配送伝票の使用形態を示す各説明図、図７はスリット位置を変更した変形態様を示す配送伝票の表面側から見た平面図、図８は同配送伝票を裏面側から見た平面図、図９は同配送伝票の構成を示す断面図、図１０は同配送伝票の使用形態を示す断面図、図１１はスリットに替えて穴加工を施した変形態様を示す配送伝票の表面側から見た平面図、図１２は同配送伝票を裏面側から見た平面図、図１３は同配送伝票の構成を示す断面図、図１４は同配送伝票の使用形態を示す断面図、更に、図１５，図１６は本発明に係る第１実施形態の変形態様を示すもので、図１５は配送伝票を裏面側から見た平面図、図１６は同配送伝票の使用形態を示す説明図である。
【００１８】
また、図１７乃至図１９は本発明に係る配送伝票の第２実施形態を示すもので、図１７は表面側から見た配送伝票の平面図、図１８は同配送伝票の構成を示す断面図、図１９は同配送伝票の使用形態を示す説明図である。更に、図２０乃至図２２は本発明に係る配送伝票の第３実施形態を示すもので、図２０は同配送伝票を表面側から見た平面図、図２１は同配送伝票の断面図、図２２は配送伝票の使用形態を示す説明図である。
【００１９】
まず、図１乃至図１６に基づいて、本発明の第１実施形態について説明すると、図１乃至図３において、配送伝票１０は、ラベルシート２０の表面側の所定箇所に受領票３０，管理票３１の各票が疑似接着糊４０，４１を介して剥離可能に貼付されており、ラベルシート２０の表面側に貼付票３２が印刷されている。また、受領票３０，管理票３１は、疑似接着糊４０，４１以外にも一般接着糊，再剥離接着糊等で剥離可能に貼付しても良い。
【００２０】
そして、配送伝票１０は配送品に貼付するために、ラベルシート２０の裏面に粘着剤５０が塗布されており、粘着剤５０面にタック紙等の剥離紙６０が貼付されている。
【００２１】
ところで、本発明に係る配送伝票１０は、受領票３０を剥離操作した後、この受領票３０の紛失を防止するために、受領票３０を収納できる封筒機能を配送伝票１０に付与したことが特徴である。そのために、本実施形態においては、図２に示すように、ラベルシート２０の裏面側に貼付されている剥離紙６０に部分カットライン６１を施し、配送品に対する非接着部位ａ（図２中斜線で示す）とした。更に、この部位における剥離紙６０とラベルシート２０とに縦方向にスリット７０を開設した。尚、ラベルシート２０及び剥離紙６０は連続用紙形式のものを使用しているため、両側縁にはそれぞれ送り孔２１が開設されており、図１，図２に示すものは、横方向ミシン目から破断して、単片状の配送伝票１０を区画したものを示している。
【００２２】
次に、図４乃至図６に基づいて、本発明に係る配送伝票１０の使用形態について説明する。
【００２３】
本発明に係る配送伝票１０は、ラベルシート２０の所定部に設定した貼付票３２及び受領票３０，管理票３１に所定情報を印字処理した後、図示しない横方向ミシン目を破断操作して、単片状の配送伝票１０を形成し、図４に示すように、配送品Ｐに貼付するが、その際、剥離紙６０を剥がす際、部分カットライン６１で囲まれた図２中符号ａで示す剥離紙片６２をラベルシート２０裏面に残したままで、配送品Ｐに貼付する。
【００２４】
そして、配送伝票１０を配送品Ｐに貼り付けた後、受領票３０と管理票３１を剥離して、管理票３１は配達人で管理するとともに、受領票３０は受取人から受領印をもらうために、配送人が配送品Ｐとともに所持する。
【００２５】
従って、配送品Ｐには配送伝票１０が貼付されているが、図５に示すように、剥離紙片６２が介挿している部位では、配送伝票１０と配送品Ｐとの間では非接着状態になっており、万一、受取人が不在の場合においては、図６に示すように、受領票３０をスリット７０を通じて剥離紙片６２と配送品Ｐとの間に介挿して、配送品Ｐとともに受領票３０を持ち帰れば良く、受領票３０の紛失は可及的に防止できる。
【００２６】
次いで、変形態様を図７乃至図１０を基に説明する。尚、同一部分には同一符号を付し、説明は省略する。
【００２７】
この変形態様では、ラベルシート２０のスリット７０加工ラインと剥離紙６０の紙端を一致させている。従って、図１０に示すように、剥離紙片６２をラベルシート２０の裏面に残したままで配送品Ｐに貼付し、スリット７０を通じて受領票３０を配送伝票１０に収納でき、受領票３０の紛失を防止できるという第１実施形態と同様の作用効果を備えている他に、受領票３０を差し込むスリット７０には、剥離紙片６２の厚み分、段差ｂが形成されており、この段差ｂが指掛りとなり、受領票３０の挿入作業を迅速に行なえるという利点がある。
【００２８】
また、上述したスリット７０に替えて、図１１乃至図１４に示すように、穴加工により収納部の開口を形成しても良く、この場合には、スリット７０に比べ、巾広の穴７１が開設されており、かつ穴７１部分に段差ｂが形成されているため、受領票３０の差込み操作がよりやり易くなるという利点がある。
【００２９】
尚、図１５に示すように、剥離紙６０に形成する部分カットライン６１の両端末を配送伝票１０の紙端側に設置して、非接着部位ａの位置を変更した場合には、配送伝票１０を配送品Ｐに貼り付ければ、図１６に示すように、配送伝票１０の紙端を封筒用開口として受領票３０を収納することができ、スリット７０や穴７１等を開設する加工を省略することができる。
【００３０】
このように、本発明の第１実施形態によれば、剥離紙６０に部分カットライン６１を設け、部分カットライン６１により残った剥離紙片６２により簡単に封筒機能がもたらされるため、安価に製作できるという利点がある。
【００３１】
次に、図１７乃至図１９は本発明の第２実施形態を示すもので、第１実施形態と同一部分には同一符号を付し、その詳細な説明は省略する。
【００３２】
この実施形態においては、ラベルシート２０の表面側に受領票３０及び管理票３１が剥離可能に貼付されている点は第１実施形態と同一であるが、第１実施形態と異なる点は、粘着剤５０面に貼付される剥離紙６０にカット処理が施されていない点と、ラベルシート２０の表面に封筒機能を備えた貼付票３２が剥離不能に接着処理されている点である。
【００３３】
すなわち、ラベルシート２０の表面には、ＯＣＲ用上質紙等からなる受領票３０と、一般上質紙等からなる管理票３１がそれぞれ疑似接着糊４０，４１を介して剥離可能に貼付されているとともに、貼付票３２が、その３辺に沿って接着糊４２により完全接着されることにより、貼付票３２は封筒機能を備えている。また、受領票３０，管理票３１は、疑似接着糊４０，４１以外にも一般接着糊，再剥離接着糊等で剥離可能に貼付しても良い。この貼付票３２としては、耐水性を有し、厚さ７０μｍ以下の材質の合成紙、又は合成フィルム、ＯＰを塗工した上質紙等が適している。
【００３４】
従って、この配送伝票１０の使用形態として、配送伝票１０を配送品に貼付した後、受領票３０，管理票３１を剥離した後、配送品を受取人に配送するが、受取人が不在の場合には、図１９に示すように、貼付票３２の非接着状態の一辺３２ａを開口として、受領票３０を貼付票３２内面に収納することができ、配送品と同時に受領票３０を持ち帰ることができ、第１実施形態と同様に受領票３０の紛失を可及的に防止できる。
【００３５】
次に、図２０乃至図２２は本発明に係る配送伝票１０の第３実施形態を示すもので、上述実施形態と同様、同一部分には同一符号を付し、その詳細な説明は省略する。
【００３６】
この発明は、第２実施形態の改良例であり、この実施形態では、ラベルシート２０の裏面に粘着剤５０を介して剥離紙６０が貼付されていることは第２実施形態と同一であるが、ラベルシート２０の表面に連続用紙からなる圧着用紙８０を使用し、圧着用紙８０とラベルシート２０との間の接着状態を部位毎に可変させるとともに、所定箇所にカット加工，スリット加工を施すことにより、受領票３０を収納できる封筒機能を付与したことが特徴である。
【００３７】
すなわち、圧着用紙８０は管理票３０，受領票３１，貼付票３２に区画され、それ以外の余白スペース（図１２中斜線で示す部位ｂ）はラベルシート２０と接着糊４２により完全接着されており、受領票３０と管理票３１の裏面には、網点印刷等が施され、疑似接着部４３を介してラベルシート２０と圧着紙８０とが接着されており、また、貼付票３２の裏面には密度の濃い網点印刷が施されており、接着力が大幅に低下した疑似接着部４４として設定されている。受領票３０と管理票３１の周囲は部分カットライン８１が、また、貼付票３２の１辺側には封筒用開口としてのスリット８２、あるいは図示はしないが穴等が開設されている。
【００３８】
従って、この実施形態においても、配送伝票１０を使用する際、配送品Ｐに対して配送伝票１０を粘着剤５０を介して貼り付け、受領票３０及び管理票３１を剥がして使用するが、受取人が不在の場合には、図２２に示すように、受領票３０は、スリット８２を通して貼付票３２内部に差込み収容することができ、受領票３０を配送品Ｐとともに持ち帰ることができ、受領票３０の紛失を有効に防止できるという上述した実施形態と同様の作用効果がある。
【００３９】
そして、この第３実施形態においては、ラベルシート２０に対して連続用紙形式の圧着用紙８０を使用して、圧着用紙８０の裏面に濃淡を調整した網点印刷を施すことにより、接着力を調整するとともに、部分カットライン８１，スリット８２加工を施して、受領票３０，管理票３１を剥離可能に形成すると同時に、一度剥がした受領票３０を収納できる封筒機能を付与するという構成であり、帳票用紙をラベルシートに貼付する工法に比べ、効率良く製作できるという利点がある。
【００４０】
【発明の効果】
以上説明した通り、本発明は、以下に記載する格別の作用効果を有する。
【００４１】
（１）請求項１記載の発明によれば、受領票を収納できる収納部を配送伝票に設定したから、受取人が不在の場合においても、受領票を配送伝票の収納部に差し込んだ状態で配送品とともに持ち帰ることができ、受領票の紛失がほぼ皆無となり、伝票の管理を円滑かつ確実に行なうことができるという効果を有する。
【００４２】
また、請求項１記載の発明によれば、ラベルシート裏面に設置されるタック紙等の剥離紙に部分カット処理を施し、剥離紙片と配送品との間に受領票を収納できる収納スペースを設置するというものであるから、剥離紙に部分カット処理を施すという簡単な加工で対応でき、コスト的に有利であるという効果を有する。
【００４３】
（２）請求項２記載の発明によれば、ラベルシート表面に剥離不能に貼り付ける帳票用紙に封筒機能をもたせるというものであるから、各伝票用紙の材質を相違させることができるという効果を有する。
【００４４】
（３）請求項３記載の発明によれば、連続用紙形式のラベルシート表面に連続用紙形式の圧着用紙を貼付し、貼合せ方法並びにカット処理を工夫することにより、伝票用紙を剥離可能に形成すると同時に封筒機能を付与するというものであるから、帳票の作製が簡単に行なえるという効果を有する。
【図面の簡単な説明】
【図１】本発明に係る配送伝票の第１実施形態を示す正面側から見た平面図。
【図２】図１に示す配送伝票を裏面側から見た平面図。
【図３】図１中III −III 線断面図。
【図４】同配送伝票の使用形態を示すもので、配送品に配送伝票を貼り付ける状態を示す説明図。
【図５】配送品に同配送伝票を貼り付けた状態を示す説明図。
【図６】配送伝票に受領票を差し込んだ状態を示す説明図。
【図７】図１に示す配送伝票のスリット位置を変更した変形態様を示す表面側から見た配送伝票の平面図。
【図８】図７に示す配送伝票を裏面側から見た平面図。
【図９】図７中IX−IX線断面図。
【図１０】図７に示す配送伝票の使用形態を示す断面図。
【図１１】図１に示す配送伝票のスリット加工を穴加工に変更した変形態様を示す表面側から見た配送伝票の平面図。
【図１２】図１１に示す配送伝票を裏面側から見た平面図。
【図１３】図１１中XIII−XIII線断面図。
【図１４】図１１に示す配送伝票の使用形態を示す断面図。
【図１５】本発明に係る配送伝票の第１実施形態の変形態様を示す配送伝票を裏面側から見た平面図。
【図１６】図１５に示す配送伝票の使用形態を示す説明図。
【図１７】本発明に係る配送伝票の第２実施形態を示す表面側から見た平面図。
【図１８】図１７中XVIII −XVIII 線断面図。
【図１９】本発明の第２実施形態に係る配送伝票の使用形態を示す説明図。
【図２０】本発明に係る配送伝票の第３実施形態を示す表面側から見た平面図。
【図２１】図２０中XXI −XXI 線断面図。
【図２２】図２０に示す配送伝票の使用形態を示す説明図。
【図２３】従来の配送伝票を表面側から見た平面図。
【図２４】図２３中XXIV−XXIV線断面図。
【符号の説明】
１０  配送伝票
２０  ラベルシート
２１  送り孔
３０  受領票
３１  管理票
３２  貼付票
４０，４１  疑似接着糊
４２  接着糊
４３  疑似接着部
４４  弱い疑似接着部
５０  粘着剤
６０  剥離紙
６１  部分カットライン
６２  剥離紙片
７０，８２  スリット
７１  穴
８０  圧着用紙
８１  部分カットライン
Ｐ  配送品
【図１】
0003801744.tif 000002
【図２】
0003801744.tif 000003
【図３】
0003801744.tif 000004
【図４】
0003801744.tif 000005
【図５】
0003801744.tif 000006
【図６】
0003801744.tif 000007
【図７】
0003801744.tif 000008
【図８】
0003801744.tif 000009
【図９】
0003801744.tif 000010
【図１０】
0003801744.tif 000011
【図１１】
0003801744.tif 000012
【図１２】
0003801744.tif 000013
【図１３】
0003801744.tif 000014
【図１４】
0003801744.tif 000015
【図１５】
0003801744.tif 000016
【図１６】
0003801744.tif 000017
【図１７】
0003801744.tif 000018
【図１８】
0003801744.tif 000019
【図１９】
0003801744.tif 000020
【図２０】
0003801744.tif 000021
【図２１】
0003801744.tif 000022
【図２２】
0003801744.tif 000023
【図２３】
0003801744.tif 000024
【図２４】
0003801744.tif 000025